(57)【特許請求の範囲】
【請求項１】
血圧値を測定する血圧測定手段と、測定された血圧値を識別記号と共に記憶する記憶手段と、付加する識別記号を切り替える手段と、この記憶手段に記憶された血圧値を識別記号と共に表示する表示手段とを備えた血圧計において、
前記表示手段は、前記血圧測定手段で測定された血圧値を表示するのと同時に、識別記号を点滅させることを特徴とする血圧計。
【請求項２】
前記表示手段は、前記切替手段を切り替えるたびに、前記記憶手段の記憶領域のどの領域に入るかの注意を促すために、識別記号を点滅させることを特徴とする請求項１記載の血圧計。
【発明の詳細な説明】
【０００１】
【発明の属する技術分野】
この発明は、項目毎（例えば使用者毎）に血圧値を記憶・表示する血圧計に関する。
【０００２】
【従来の技術】
複数（例えば２人）の使用者毎に血圧値を分けて記憶・管理する血圧計がある。この血圧計は一般に、血圧値を測定する血圧測定手段と、使用者毎に切り替える切替手段と、測定された血圧値を切替手段によって切り替えられた使用者毎に分けて記憶するメモリと、このメモリに記憶された血圧値を表示する表示手段とを備える。この血圧計は、使用者毎に切替手段によりメモリ領域を使い分け、使用者Ａ及び使用者Ｂを識別記号と共にメモリに記憶・管理するものである。
【０００３】
即ち、例えば使用者Ａが血圧値を測定する場合は、切替手段を使用者Ａ側に切替えておく。こうすることで、使用者Ａの血圧値が使用者Ａのメモリ領域に記憶される。また、使用者Ｂの場合は、切替手段を使用者Ｂ側にしておくことで、使用者Ｂの血圧値が使用者Ｂのメモリ領域に記憶される。
【０００４】
【発明が解決しようとする課題】
しかしながら、上記血圧計では、例えば使用者Ａであるにもかかわらず、切替手段を使用者Ｂ側に間違って切り替えたり、或いは切替手段が使用者Ｂ側になったままで血圧測定を行うことがあり、使用者Ａの血圧値が使用者Ｂのメモリ領域に記憶されてしまう。
【０００５】
間違ったメモリ領域に血圧値が記憶されると、後でメモリを呼び出して血圧値の推移傾向を確認するときに、別の使用者の血圧値が混入していることに気づかずに誤った傾向分析をしてしまい、本人の血圧値の推移を反映した正確な分析を行うことができない。
【０００６】
この発明は、そのような問題点に着目してなされたもので、使用者が自分の血圧値を本人のメモリ領域に確実に記憶させることができるようにした血圧計を提供することを目的としている。
【０００７】
【課題を解決するための手段】
前記目的を達成するために、この発明の血圧計は、血圧値を測定する血圧測定手段と、測定された血圧値を識別記号と共に記憶する記憶手段と、付加する識別記号を切り替える手段と、この記憶手段に記憶された血圧値を識別記号と共に表示する表示手段とを備えたものにおいて、前記表示手段が、前記血圧測定手段で測定された血圧値を表示するのと同時に、識別記号を点滅させることを特徴とする。
【０００８】
この血圧計では、表示手段に、血圧測定手段で測定された血圧値が表示されるのと同時に、識別記号が点滅表示されるので、使用者は測定値が自分の考える識別記号と共に記憶されたか確認することができ、別のメモリ領域に血圧値が間違って記憶された場合も気付くことができる。その結果、本人の血圧値の推移傾向を正しく分析することが可能となる。また、万が一間違って記憶させてしまった場合にも、測定値を削除するか、識別記号の変更を行い修正すればよい。
【０００９】
特にこの血圧計では、表示手段は識別記号を単に表示するのではなく、点滅・表示するので、使用者に識別記号の確認の注意を喚起できる。
【００１０】
なお、識別記号は、項目毎に使い分けるが、項目としては、使用者別、投薬有／無、朝／夕などがある。識別記号は、例えば切替手段に付設された使用者識別記号（例えば２人の場合は“Ａ”，“Ｂ”）又はメモリ領域識別記号（例えば２人の場合は“Ｍ１”，“Ｍ２”）である。この他、“１”，“２”、“甲”，“乙”等、或いは文字や数字の他に図形でもよく、上記項目を識別できるのであれば特定されない。
【００１１】
【発明の実施の形態】
以下、実施の形態により、この発明を更に詳細に説明する。
【００１２】
実施形態に係る血圧計の外観斜視図を図１に示す。この血圧計は、血圧計本体１と、カフ２とからなり、血圧計本体１とカフ２はチューブ３で接続されている。血圧計本体１は、血圧値（最高血圧値と最低血圧値）、日時及び識別記号等を表示する表示部１０、電源スイッチ１１、カフ２への給気を開始するための加圧スイッチ１２、時刻を設定・修正するための時計設定スイッチ１３、時刻を設定・修正するときに早送り又は早戻しする時刻送りスイッチ１４、メモリに記憶された血圧値を呼び出す測定値呼び出しボタン１５、使用者毎に切り替えるスライド式の使用者切替えスイッチ１６を有する。
【００１３】
この血圧計の特徴は、表示部１０が、測定された血圧値をメモリに記憶する前又は後に、その測定された血圧値に係る使用者の識別記号を点滅表示することであり、その表示部１０の表示形態例を図２及び図３に示す。
【００１４】
図２の表示形態では、表示部１０は、最高血圧値及び最低血圧値を表示する血圧値表示部１０ａと、日時を表示する日時表示部１０ｂと、識別記号“Ａ”又は“Ｂ”を表示する使用者表示部１０ｃとを有する。また、使用者切替えスイッチ１６の一方側及び他方側にそれぞれ使用者識別記号２１，２２として“Ａ”，“Ｂ”が記されており、使用者Ａ，Ｂは血圧値測定のときに各自の識別記号側に切替えスイッチ１６をスライドさせて切り替える。血圧値測定が終了すると、その血圧値をメモリに記憶した後に（記憶前でもよい）、血圧値に係る使用者の識別記号、即ち切替えスイッチ１６で設定した識別記号が表示部１０の使用者表示部１０ｃに表示される。即ち、切替えスイッチ１６の位置に応じて、識別記号“Ａ”〔図２の（ａ）〕又は“Ｂ”〔図２の（ｂ）〕が点灯する。
【００１５】
図３の表示形態では、表示部１０が血圧値表示部１０ａ、日時を表示する日時表示部１０ｂ、使用者表示部１０ｃを有する点は同じであるが、使用者切替えスイッチ１６の一方側及び他方側にそれぞれメモリ領域識別記号２３，２４として“Ｍ１”，“Ｍ２”が記されている。この場合は、使用者Ａ，Ｂは予め自分のメモリ領域を覚えておき、血圧測定を行うときにそのメモリ領域側に切替えスイッチ１６を切り替える。同様に、測定された血圧値がメモリに記憶された後（記憶前でもよい）、血圧値に係るメモリ領域の識別記号、即ち切替えスイッチ１６で設定した識別記号が使用者表示部１０ｃに表示される。このとき、切替えスイッチ１６の位置に応じて、識別記号“Ｍ１”〔図３の（ａ）〕又は“Ｍ２”〔図３の（ｂ）〕が点灯する。
【００１６】
図２及び図３のいずれの表示形態でも、使用者Ａ又はＢが血圧値を測定した後に、表示部１０の使用者表示部１０ｃに切替えスイッチ１６が現在指示する識別記号が点滅表示されるので、使用者Ａ又はＢは、表示された識別記号が自分の識別記号かどうかを確認することで、自分の血圧値が他の使用者のメモリ領域に間違って記憶されるのを防止することができる。また、万が一間違って記憶させてしまった場合には、その測定値の削除又は識別記号の変更を行うことができる。
【００１７】
その結果、後でメモリを呼び出して血圧値の推移傾向を確認するときに、本人の血圧値の推移を正確に分析することができる。また、電源立ち上げ後や切替えスイッチ１６を他方に切り替えたときにも、識別記号を点滅させることは、注意を促す目的により合致する。
【００１８】
次に、上記血圧計の全体動作について、図４及び図５のフロー図を参照して概説する。なお、このフロー図の動作は、血圧値をメモリに記憶する前に使用者識別記号を表示するものであり、使用者切替えスイッチ１６の両側に使用者識別記号２１，２２として“Ａ”，“Ｂ”が記されている場合（図２参照）である。
【００１９】
まず、ステップＳＴ１において、電源スイッチ１１が押されて電源ＯＮになったかどうかを判定する。電源ＯＮになると、ステップＳＴ２において、表示部１０（血圧値表示部１０ａ、日時表示部１０ｂ及び使用者表示部１０ｃ）を全点灯する。次いで、ステップＳＴ３において、大気圧キャリブレーションを行い、ステップＳＴ４において、血圧値表示部１０ａに圧力“０”を表示すると共に、ステップＳＴ５において、日時表示部１０ｂに現在時刻の表示を開始する。
【００２０】
その後、ステップＳＴ６において、加圧待機モード処理を実行し、それが終了すると、ステップＳＴ７において、電源スイッチ１１が再び押されたかどうか判定する。電源スイッチ１１が再び押されると、電源ＯＦＦになるので、ステップＳＴ８に移行し、表示部１０の表示を全て消灯し、ステップＳＴ１に戻り、次に電源スイッチ１１が押されるまで待機する。
【００２１】
ステップＳＴ７において、電源スイッチ１１が再び押されなかったときは、そのままステップＳＴ９に移り、測定値呼び出しボタン１５が押されたかどうかを判定する。このボタン１５が押されると、ステップＳＴ１０に移行し、前回値メモリ表示処理を実行する。この処理は、メモリに記憶された最高血圧値及び最低血圧値を血圧値表示部１０ａに表示する。ボタン１５が押されないと、次のステップＳＴ１１において、時計設定スイッチ１３が押されたかどうか判定する。時計設定スイッチ１３が押されると、ステップＳＴ１２に移行し、日付・時刻変更処理を実行する。この処理は、日時表示部１０ｂに表示された日付・時刻を変更する場合であり、日付・時刻を時刻送りスイッチ１４により修正する。
【００２２】
時計設定スイッチ１３が押されなかったときは、ステップＳＴ１３において、使用者切り替え処理を実行する。この処理は、使用者Ａ又はＢの血圧値が本人のメモリ領域に記憶されるように、必要に応じて使用者切替えスイッチ１６により切り替えるものである。ステップＳＴ１４においては、切替えスイッチ１６を切り替えた結果、切替えスイッチ１６が使用者識別記号“Ａ”側に位置するのか判定し、ＹＥＳであるならステップＳＴ１６において、使用者表示部１０ｃに識別記号“Ａ”を表示する。ステップＳＴ１４の判定がＮＯの場合は、切替えスイッチ１６が使用者識別記号“Ｂ”側に位置するので、ステップＳＴ１５において、使用者表示部１０ｃに識別記号“Ｂ”を表示する。
【００２３】
使用者表示部１０ｃに識別記号“Ａ”又は“Ｂ”を表示した後、ステップＳＴ１７において、加圧スイッチ１２が押されたかどうかを判定する。加圧スイッチ１２が押されない場合は、ステップＳＴ６に戻って加圧待機モード処理を実行し、ステップＳＴ６〜ＳＴ１７の処理を繰り返す。
【００２４】
一方、加圧スイッチ１２が押された場合は、ステップＳＴ１８において、加圧モード処理を実行する。この処理は、血圧計本体１に内蔵されたモータを作動させて、チューブ３を介して空気をカフ２に供給し、生体部位（例えば腕）をカフ２により圧迫するものである。
【００２５】
加圧モード処理が済むと、ステップＳＴ１９において、減圧モード処理を実行する。この処理は、血圧計本体１に内蔵された排気弁を少し開いて、カフ２の空気を徐々に排出するものである。この後、ステップＳＴ２０において、血圧算出モード処理を実行する。この処理は、カフ２の減圧過程で最高血圧値及び最低血圧値を算出する。
【００２６】
血圧値の算出が終わると、ステップＳＴ２１において、血圧値表示モード処理を実行する。この処理は、算出した最高血圧値及び最低血圧値を血圧値表示部１０ａに表示する。次いで、ステップＳＴ２２において、日時表示部１０ｂに表示されている現在時刻と共に、使用者表示部１０ｃに使用者識別記号“Ａ”又は“Ｂ”を点滅表示する（図２参照）。
【００２７】
その後、ステップＳＴ２３において、血圧値・現在日時メモリ処理を実行する。この処理は、算出した血圧値を現在の日時と共に使用者Ａ又はＢのメモリ領域に記憶する。そして、ステップＳＴ６に戻り、同様の処理を繰り返す。
【００２８】
なお、上記実施形態のフロー図では、血圧値をメモリに記憶する前に使用者識別記号を表示するものであるが、血圧値をメモリに記憶した後に識別記号を表示するようにしてもよい。その場合、図５のフロー図のステップＳＴ２２の処理をステップＳＴ２３の後に行えばよい。また、識別記号として、使用者識別記号“Ａ”又は“Ｂ”を取り上げているが、図３のメモリ領域識別記号“Ｍ１”，“Ｍ２”でも全く同様である。
【００２９】
【発明の効果】
以上説明したように、本発明の血圧計によれば、表示手段に、血圧測定手段で測定された血圧値が表示されるのと同時に、識別記号が点滅表示されるので、使用者は測定値が自分の考える識別記号と共に記憶されたか確認することができ、別のメモリ領域に血圧値が間違って記憶された場合も気付くことができる。その結果、本人の血圧値の推移傾向を正しく分析することが可能となる。
【図面の簡単な説明】
【図１】実施形態に係る血圧計の外観斜視図である。
【図２】同血圧計の表示部の表示形態の一例を示す図である。
【図３】同血圧計の表示部の表示形態の別例を示す図である。
【図４】同血圧計の全体動作を示すフロー図である。
【図５】図４のフロー図に続くフロー図である。
【符号の説明】
１        血圧計本体
２        カフ
３        チューブ
１０      表示部
１０ａ    血圧値表示部
１０ｂ    日時表示部
１０ｃ    使用者表示部
１１      電源スイッチ
１２      加圧スイッチ
１３      時計設定スイッチ
１４      時刻送りスイッチ
１５      測定値呼び出しボタン
１６      使用者切替えスイッチ
【図１】
0003772682.tif 000002
【図２】
0003772682.tif 000003
【図３】
0003772682.tif 000004
【図４】
0003772682.tif 000005
【図５】
0003772682.tif 000006